(57)【特許請求の範囲】
【請求項１】
バスケット底(28)と下縁をこのバスケット底から離隔させることができるバスケット胴(8)とで形成されたバスケット(9)と、このバスケットに上方から挿入される押圧体(5)と、この押圧体を昇降する押圧装置(6)とを備え、前記押圧体を下降させることにより、前記バスケット内に受入れた洗濯物(31)を当該押圧体と前記バスケット底との間で加圧して脱水する洗濯物の圧搾式脱水機において、
前記バスケット底が脱水済洗濯物を圧搾位置(A)から搬出する搬出コンベア(12)の搬送面(28)で形成され、前記バスケット胴が前記搬送面の移動方向と同方向に水平直線移動可能に装着され、当該バスケット胴を前記圧搾位置(A)と洗濯物受入れ位置(B)との間を移動させる水平移動駆動装置(24)を備え、当該バスケット胴の水平移動時に、バスケット底となる搬出コンベアの前記搬送面を同じタイミングでバスケット胴の移動方向と同方向に移動させることを特徴とする洗濯物の圧搾式脱水機。
【請求項２】
搬送面(28)をバスケット底とした搬出コンベア(12)が、バスケット胴(8)と上下方向に脱着可能に連結され、圧搾位置(A)と洗濯物受入れ位置(B)との間を前記バスケット胴に連結された状態で水平移動可能であることを特徴とする、請求項１記載の洗濯物の圧搾式脱水機。
【発明の詳細な説明】
【技術分野】
【０００１】
この発明は、洗濯機から洗濯水と共に排出された洗濯物を押圧体で上方から加圧して圧搾することにより、当該洗濯物に含まれている水分を脱水する装置に関するものである。
【背景技術】
【０００２】
洗濯物の圧搾式脱水機は、洗濯物に含まれている水分を押圧体で押し絞って脱水する装置であり、処理速度が速く、ロット毎に塊となって洗濯機から排出される洗濯物の脱水に特に適している。更に脱水後の洗濯物が所定形状の塊となるので、搬送コンベアによる洗濯物乾燥機への搬送にも都合がよい。そのため、連続水洗機などと組み合わせてリネンと呼ばれる業務用のタオルやシーツなどを大量に洗濯する洗濯ラインで主に用いられている。
【０００３】
この種の圧搾式脱水機は、例えば図９に示すように、脱水する洗濯物を収容するバスケット９と、このバスケットの上面開口からバスケット内に挿入される押圧体５とを備えている。バスケット９は、多数の水抜き孔を設けた周壁（バスケット胴）８と、押圧力を受ける受圧板１１の上に滑り移動可能に載っている搬出コンベア１２のベルト１３の上面（搬送面）とで形成されている。
【０００４】
バスケット９の上方には、ロッド７を下向きにした押圧装置（油圧シリンダやエアシリンダ）６が配置され、このロッド７の下端に押圧体５が固定されている。ロッド７の下降動作により、押圧体５がバスケット９内に挿入され、受圧板１１で支持されたコンベアベルト１３との間で洗濯物を圧搾して脱水する。押圧体５の下面は、洗濯物の上面の形状に従って弾性変形する構造とされ、洗濯物の上面が均一な圧力で押圧されるようになっている。
【０００５】
図９に示した圧搾式脱水機の動作について説明する。押圧体５が上昇した状態で、連続水洗機のシュート２６からバスケット９内に洗濯物が投入され、次に押圧体５が下降して洗濯物の水分を絞り出す。次に押圧体５が上昇し、更にバスケット胴８も上昇して、バスケット胴８の下縁と搬出コンベア１２の搬送面との間に圧搾された洗濯物の高さより高い開口が開く。そこで搬出コンベア１２が駆動されて、脱水した洗濯物を次工程へ搬送する。シュート２６から間欠的に排出される洗濯物の排出タイミングに合わせて、上記の動作が繰り返される。
【０００６】
洗濯物を押圧体で上方から押圧して圧搾脱水する洗濯物の脱水機として、特許文献１には、洗濯物容器を台車に搭載した構造が示されている。この装置は、レール上を走行する多数の運搬車にバスケット胴（シリンダジャケット）を取外し可能に設けている。洗濯機でシリンダジャケット内に洗濯物を充填した運搬車は、プレスのなかに入り、プレス板がシリンダジャケット内に導入され、洗たくものが押圧された後に、運搬車はプレスの外へ動かされる。シリンダジャケットは、洗濯物のプレスが完了した後に空気圧シリンダによって上昇し、水平に設けたシリンダのピストン棒が運搬車の台から洗濯物を横に押し離す。空になった運搬車は再充填のため洗濯機へもどる。
【０００７】
洗濯物を押圧体で上方から押圧して圧搾脱水する脱水機の他の構造として、特許文献２には、バスケット胴（円筒殻）を、第１の垂直軸回りに回転可能なアームの自由端の第２の垂直軸回りに回転して２自由度の平面運動を行なうようにアームの自由端に棍著した搾液用ラムプレスが示されている。円筒殻の上縁には洗浄機の案内通路が連通する側面供給ロが開口しており、洗浄機は、濡れた織物を１回分ずつラムプレスに供給して１工程分の洗浄物が案内通路を通じて円筒殻内に導入される。次に圧力シリンダが作動して圧搾ラムが円筒殻内に挿入されて濡れた洗浄物上に押圧される。特許文献２には、第２の枢軸にロック装置を設けることにより、搾液後に円筒殻を第１の枢軸まわりに回転移動させて搾液後の物体を排出する機能を持たせることが示されている。
【０００８】
更に他の構造として、特許文献３には、予備プレス部と本プレス部とを備え、円筒形バスケットを２個備えた脱水機が示されている。この構造では、洗濯物を収納する予備プレス部と本プレス部を構成する円筒形バスケットを２個対称に載せ、水平に１８０°ずつ間欠運転でき、かつ表面に多数の水抜き孔を設けてある水平回転円板と、本プレス部の側部に設けられ洗濯物を次工程に送る送り出し装置とを備えている。洗濯物は予備プレス位置で円筒形バスケット内に投入され、ここで低圧により圧搾脱水される。
【０００９】
一方、洗濯物を下から上へと押し上げる構造の脱水機として、特許文献４には、装填ステーションと圧縮ステーションとを備えた構造が示されている。圧縮ステーションには、上部に圧力容器が配置され、その下方に上昇する対向板が配置されている。受け入れ容器は、装填ステーションで１回の洗たく量の衣類をシュートによって受け入れ、シュートを持ち上げた後、圧縮ステーションに向けて搬送する。
【００１０】
受け入れ容器が圧縮ステーションにくると、対向板は持ち上げ板で閉鎖位置に持ち上げられ、この位置で固定ピンで固定される。洗たくものの山は受け入れ容器から圧力容器内に搬送されている。次いで、持ち上げ板を再び下げ、受け入れ容器は装填ステーションに送り返される。対向板を固定した後、圧力媒体が圧力容器内に導入され、ダイアフラムを洗たくものの山に抗して下向きに押す。圧縮時間の経過後、圧力媒体は圧力容器から排除される。同時に、持ち上げ板は上方に動き、解除された対向版と当接し、対向板を元の位置に下げる。圧縮された洗たくものの山も受け入れ容器の搬送面まで下がる。次の工程の開始時、圧縮乾燥された洗たくものの山は、受入れ容器の前面に設けたストッパによってコンベアベルト上に押し出される。
【００１１】
更に特許文献４及び５には、洗濯物を圧搾ステーションの上方に配置した圧力容器に押込んで脱水する構造の脱水機として、バスケット胴の一部にドアが設けられ、受け入れ容器が装填ステーションに移動する際に、このドアが開いて対向板を下から押上げているロッドを通過させる構造が示されている。対向板は、圧力シリンダの上に乗っており、圧縮板として働き、概ね円筒状になった圧力容器内に入って洗たくものの山を圧縮乾燥する。圧力シリンダがされた後、ドアがシリンダにより開かれ、圧力シリンダはこれを通り抜けて、受け入れ容器４を装填ステーションに送り戻す。装填ステーションに於いてドアは閉じられ、次回の洗たく物の山が投入される。
【特許文献１】特公昭４０−１７２７１号公報
【特許文献２】特開平２−１４０６２号公報
【特許文献３】特許第２９４１５１５号公報
【特許文献４】特開昭６０−１９８１９６号公報
【特許文献５】欧州特許出願公開第ＥＰ０５５８４３４号明細書
【発明の開示】
【発明が解決しようとする課題】
【００１２】
洗濯物を受入れるバスケットは、シュートから投入された洗濯物がバスケットからはみ出すことのないよう十分な高さが必要であり、かつシュートから自重落下してくる洗濯物が障害なくバスケット内へと投入されるように、上昇位置にある押圧体とバスケットの上縁との間に十分な高さの開口部を設ける必要がある。そのため、図９に示したようなバスケット胴が上下動作しか行わない従来の圧搾式脱水機では、バスケット上部の側面に、洗濯物の供給口を設ける必要があり、押圧体の上昇位置をその分高くする必要があり、装置高さが高くなる問題があった。
【００１３】
更にバスケット内への洗濯物の受入れ位置において、洗濯物がバスケット周壁上部の押圧体との間から斜めにバスケット内に投入されるため、バスケット内で洗濯物が偏在し、脱水後の洗濯物の含水率にむらができる問題もあった。
【００１４】
この問題は、特許文献２及び３に記載の従来装置でも生じる問題である。更に特許文献２の構造では、バスケット胴の支持構造が複雑で、押圧体の駆動装置（油圧シリンダやエアシリンダ）を支持しているタイロッドとバスケット胴を支持しているアームとの干渉により、バスケット胴の水平方向への移動量が制限される問題がある。また、特許文献３の構造は、バスケット胴が２個必要であり、この２個のバスケット胴が旋回運動をするために、装置の設置面積が大きくなる問題や、バスケット胴を掴んで持ち上げるためのクランプ機構が必要になるという問題がある。
【００１５】
一方、特許文献１の構造では、多数のバスケット及びこれを搭載する運搬車が必要で、かつこれらをレールに沿って移動させるため、装置の設置面積が大きくなり、装置も極めて豪華になる。また、洗濯物を圧搾するとき、バスケットを押圧体の下に正確に位置決めする必要があるが、その位置決めも困難であるという問題がある。
【００１６】
一方、特許文献４、５に示された構造では、バスケット胴が押圧体の下から側方に移動した位置で洗濯物の受入れが行われるので、洗濯物の受入れ位置における装置高さを低くできる。しかし、洗濯物の圧搾がバスケットの上縁より上方に位置する圧力容器内で行われ、かつ洗濯物をバスケットによる搬送高さから圧搾する高さまで押し上げる装置を必要とするため、この押し上げ装置を含む高さ（押し上げ装置の下端から圧力容器の上端又は当該圧力容器の上方に設けられる加圧装置の上端までの寸法）を小さくすることができない。
【００１７】
更に特許文献４、５の装置は、洗濯物を受け入れて搬送する受け入れ容器と圧搾時に洗濯物を収容する圧力容器との２つの容器が必要であり、対向板を押し上げる押し上げ板や対向板のロック装置が必要であるとか、バスケット胴に設けたドアを開閉する装置が必要であるとかするため、装置構造や制御が複雑で、装置が高価になるという問題がある。
【００１８】
この発明は、上記の問題を解決するためになされたもので、装置構造が単純化されて、圧搾脱水後の洗濯物の乾燥機への搬送が円滑に行われ、洗濯物受入れ時のバスケット内の洗濯物の偏在を軽減することができ、かつ装置高さを低くすることが可能な洗濯物の圧搾式脱水機を得ることを課題としている。
【課題を解決するための手段】
【００１９】
本発明の圧搾式脱水機は、洗濯機３０から洗濯物を受け取るバスケット９の中に上方から押圧体５を挿入して圧搾脱水する構造を採用している。この構造により、装置構造が複雑になるのを防止できる。
【００２０】
本発明では、洗濯物の受け入れ時に、バスケット胴８を洗濯機の排出シュート２６側に水平移動させ、バスケット９に洗濯物を受け取った後、押圧体５とバスケット胴８が同心となる位置までバスケット胴８を移動させ、押圧体５を下降させて脱水を行う。これにより洗濯物を受取るときに、押圧体５を高く持上げてバスケット胴８との間に洗濯物の受入れ口となる開口部を形成する必要がなくなり、バスケット胴８の水平移動時にバスケット９の上縁と押圧体５の下端とが接触しない高さまで押圧体５を上昇させるだけでよく、押圧体５の上昇位置を従来より低くでき、更に押圧体５の昇降ストロークも短くなって押圧装置６の上下寸法も小さくなるため、機械高さを大幅に低くすることができる。
【００２１】
バスケット９の底面は、圧搾位置から脱水済洗濯物を搬出する搬出コンベア１２の搬送面で形成し、このコンベアによる洗濯物の搬送方向とバスケット胴８の移動方向とを同方向の直線移動方向とする。これにより、バスケット胴８と搬出コンベア１２のベルト１３とを洗濯物の受け入れ位置から圧搾位置へと同方向に移動させて、バスケットに受入れた洗濯物を円滑に圧搾位置Ａへ搬送することができる。
【００２２】
搬出コンベアの搬送面２８をバスケット底としたときは、バスケット胴８を上昇させて搬出コンベア１２を駆動することにより、脱水済みの洗濯物の塊を次工程の乾燥機へと搬送する。すなわち、脱水済みの洗濯物をバスケットの外へ出すときにバスケット胴８を昇降させる構造及び動作が必要である。そこで、押圧体５の上方に位置する押圧装置６を支持する複数本のタイロッド３でバスケット胴８の昇降をガイドし、エアシリンダなどの昇降装置でバスケット胴８を昇降する構造が簡単である。
【００２３】
この構造の場合、複数のタイロッド３で案内されかつ昇降駆動装置１７で昇降する昇降フレーム１６を設け、この昇降フレーム１６に設けた水平方向のガイド２０及びエアシリンダなどの水平移動駆動装置２４でバスケット胴８を圧搾位置Ａと洗濯物受け入れ位置Ｂとの間で直線的に移動させる構造とするのが、装置構造を単純化し、かつ装置をコンパクトにする構造として最適である。
【００２４】
この出願の請求項１の発明に係る洗濯物の圧搾式脱水機は、バスケット底２８と下縁をこのバスケット底から離隔させることができるバスケット胴８とで形成されたバスケット９と、このバスケットに上方から挿入される押圧体５と、この押圧体を昇降する押圧装置６とを備え、前記押圧体５を下降させることにより、前記バスケット９内に受入れた洗濯物３１を当該押圧体５と前記バスケット底２８との間で加圧して脱水する洗濯物の圧搾式脱水機において、前記バスケット底が脱水済洗濯物を圧搾位置Ａから搬出する搬出コンベア１２の搬送面２８で形成され、前記バスケット胴８が前記搬送面２８の移動方向と同方向に、好ましくはその下縁を（洗濯物が通過できない程度に）搬出コンベアの前記搬送面２８から浮かせた状態で、水平直線移動可能に装着され、当該バスケット胴８を前記圧搾位置Ａと洗濯物受入れ位置Ｂとの間を移動させる水平移動駆動装置２４を備え、バスケット胴８の水平移動時に、バスケット底となる搬出コンベアの搬送面２８を同じタイミングでバスケット胴８の移動方向と同方向に移動させることを特徴とする圧搾式脱水機である。
【００２７】
また、この出願の請求項２の発明に係る圧搾式脱水機は、前記請求項１に記載の構成を備えた洗濯物の圧搾式脱水機において、搬送面２８をバスケット底とした搬出コンベア１２が、バスケット胴８と上下方向に脱着可能に連結され、圧搾位置Ａと洗濯物受入れ位置Ｂとの間をバスケット胴８に連結された状態で水平移動可能であることを特徴とするものである。
【発明の効果】
【００２８】
この発明では、洗濯機から洗濯物を受け取ったバスケット内に押圧体を上方から挿入して洗濯物を圧搾脱水する構造を採用しているので、装置構造を複雑にすることなく装置高さを低くすることが可能である。また、１個のバスケット胴を洗濯物受け入れ時にのみ洗濯機３０に近い側に水平移動させる構造で、水平移動のストロークもバスケット９の直径の半分程度でもよいから、装置の設置面積が大きくなることがない。また、複数のバスケット胴を必要としたり、バスケットと圧力容器とを必要とすることによる装置コスト上昇も避けることができる。
【００２９】
従来構造の圧搾式脱水機では、装置高さがトラックに積載可能な高さより高くなるため、組み立てた状態で搬送することができず、製造工場で一旦組み立てて試運転した脱水機を一度分解して客先へ搬送し、客先で再度組み立てるという作業が必要であった。この発明によれば、機械高さをトラックに積載可能な範囲に抑えることができ、搬送のための分解作業と設置の際の組立作業が不要になる。
【００３０】
洗濯機から排出された洗濯物は、シュート２６によって自重で脱水機のバスケット９内へと投入される。このとき、従来構造では、バスケットの底面に対して洗濯物が斜めに落下するため、バスケット内で洗濯物の偏在が生じる。本発明では、洗濯物投入時のシュート２６の傾斜角度を従来よりも大きく（垂直に近く）することができ、バスケットの底面に対してより垂直に近い状態で洗濯物が投入されることになるため、バスケット内での洗濯物の偏在を軽減することができる。
【発明を実施するための最良の形態】
【００３１】
以下、図面を参照して、この発明の好ましい実施形態の一例を示す図面に基づいて説明する。脱水機の基台２には、平面視で正方形の四隅に位置する４本のタイロッド３が立設され、この４本のタイロッドの上端に上板４が固定されている。上板４の中央には、上下方向の貫通孔が設けられており、上板４の上面中央には、押圧体５を昇降する押圧装置（油圧シリンダ）６が立設されている。油圧シリンダ６の下向きのピストンロッド７は、上板４を貫通して、その下端に平面視で円盤状の押圧体５が固定されている。押圧体５は、油圧シリンダ６の下降動作により、円筒形のバスケット胴８の上面の開口から、バスケット胴８の内側に僅かな遊隙を持って挿入される。押圧体５の下面は、内部に弾性体又は液体が封入されたダイヤフラム（メンブレン）で形成されており、押圧体５がバスケット９内の洗濯物の上面に押し付けられたとき、当該下面が洗濯物の上面の形状に応じて変形する構造である。
【００３２】
基台２の上面の４本のタイロッド３の内側の部分及び図１でその左右に延在する部分には、表面を滑らかに仕上た受圧板１１が固定されている。脱水済みの洗濯物を圧搾位置Ａから搬出する搬出コンベア１２は、その搬送ベルト１３を受圧板１１の上面に摺接させた状態で配置されている。１４及び１５は、搬送ベルト１３の両端を転回しているローラである。
【００３３】
基台２と上板４との間には、前後端（図１の左右端）をタイロッド３で案内されたビーム状の２本の昇降フレーム１６が、バスケット９の左右（図２の左右）両側に昇降自在に装着されている。上板４の両側辺部（図２の左右の辺部）の前後方向（図１の左右方向）中央には、バスケット昇降用のエアシリンダ１７が取り付けられ、その下向きのピストンロッドの先端が左右の昇降フレーム１６にそれぞれ連結されている。
【００３４】
昇降フレーム１６の下面には、前後方向に細長いガイド部材１９が固定されている。ガイド部材１９は、内側面（互いに対向する面）に前後方向（バスケット胴の移動方向。搬出コンベア１２のベルトの走行方向と同方向。）の断面コ字形のガイド溝２０を備えている。このガイド溝２０の内面には低摩擦材２０ａが貼着されている。
【００３５】
バスケット胴８の高さ略中間部の外周には、平面視で略正方形のスライドフレーム２１が固着されており、このスライドフレーム２１の両側辺が両側のガイド溝２０に摺動自在に案内されている。
【００３６】
ガイド部材１９の下には、バスケット移動方向のシリンダ２４が水平に装架され、当該シリンダのロッド２５がスライドフレーム２１に固定したブラケット２２に連結されている。すなわち、両側のシリンダ２４を同期駆動することにより、スライドフレーム２１及びこれに固定されたバスケット胴８が図１の左右方向に水平移動する。シリンダ２４のストローク端は、バスケット胴８が押圧体５と同心となる位置（圧搾位置）Ａと連続水洗機３０の洗濯物排出シュート２６側に移動した位置（受け入れ位置）Ｂとである。
【００３７】
昇降フレーム１６には、昇降シリンダ１７の内側の位置に位置決めシリンダ（エアシリンダ）２７が取り付けブラケット４１を介して固定されている。位置決めシリンダ２７のピストンロッドの先端には、位置決めピン４２が装着され、スライドフレーム２１に固定したブラケット４３の対応する位置には、位置決め孔が設けられている。スライドフレーム２１が圧搾位置Ａに移動したあと、位置決めシリンダ２７を伸長して位置決めピン４２を位置決め孔に嵌合することにより、圧搾位置Ａにおいて、押圧体５の中心とバスケット胴８の中心とを一致させた位置に、バスケット胴８が正確に位置決めされるようになっている。
【００３８】
昇降シリンダ１７のピストンの下降端は、バスケット胴８の下縁が洗濯物がはみ出さない隙間を残して搬出コンベアの搬送面２８に対向する位置に設定され、上昇端は、１回の操作で処理可能な最大量の洗濯物を圧搾脱水した後の洗濯物の最大高さより高い位置にバスケット胴の下縁が上昇する高さに設定される。また押圧体５を昇降する油圧シリンダ６のピストンの下降端は、押圧体５の下面が搬出コンベアの搬送面２８に当接する位置に設定され、上昇端は、下降位置にあるバスケット胴８の上縁が押圧体５の下面に接触することなく押圧体５の下を通過可能な高さに設定されている。
【００３９】
次に図４及び５を参照して、上述した実施例装置の動作を説明する。押圧シリンダ６を上昇し、昇降シリンダ１７を下降し、ロックシリンダ２７を上昇した状態で、水平シリンダ２４をそのストローク端まで連続水洗機３０側に移動する。この動作で、バスケット胴８は、シュート２６の下方に移動する。この状態で、連続水洗機３０のシュート２６から１回分（１洗濯槽分）の洗濯物が大量の濯ぎ水を含んだ状態でバスケット９内へと自重により投入される（図４（ａ））。
【００４０】
洗濯物を受け取ったバスケット胴８は、水平シリンダ２４の図で左ストローク端までの移動により、押圧体５の下方へ移動する。バスケット胴内の洗濯物３１も、バスケット胴８に押されて押圧体５の下へと移動する。シュート２６から投入された直後の洗濯物は、大量の水分を含んでおり、半浮遊状態となっているので、バスケット胴８に押された洗濯物３１は、比較的円滑に押圧体５の下へと移動する（図４（ｂ））。
【００４１】
洗濯物受入れ位置Ｂから圧搾位置Ａへのバスケット胴８の移動時に、搬出コンベアの搬送面２８から洗濯物に作用する移動抵抗力ないし摩擦力を小さくするため、搬出コンベア１２をバスケット胴８と同方向に略同速度で走行させる。具体的には例えば、搬出コンベア１２の駆動モータをインバータで制御し、バスケット胴８の動きに追従させる。
【００４２】
次にロックシリンダ２７を下降して、スライドフレーム２１側の位置決め孔に昇降フレーム１６側の位置決めピン４２を差し込んで、スライドフレーム２１、従ってバスケット胴８を押圧体５の真下に正確に位置決めする。次いで押圧シリンダ６を下動して押圧体５でバスケット９内の洗濯物３１を押し潰し、所定時間保持する。この動作により、洗濯物３１内の水分が圧搾脱水される（図４（ｃ））。
【００４３】
次に押圧シリンダ６及び昇降シリンダ１７を上昇する。この動作により、押圧体５が洗濯物３１の上面から離れ、バスケット胴８は、その下縁が脱水されてケーキ状に固められた洗濯物３１の上端より高い位置に上昇する（図５（ｄ））。そこで搬出コンベア１２を反シュート側へと駆動し、図の実施例では、これに隣接して設けられている搬送コンベア３２に脱水済み洗濯物３１を引き渡す（図５（ｅ））。
【００４４】
押圧体５の下から洗濯物が排出されたら、搬出コンベア１２を止め、昇降シリンダ１７を下方のストローク端まで下降する。このバスケット胴８の下降端位置は、バスケット胴の下縁がバスケット底となる搬出コンベアの搬送面２８からわずかに離隔した位置となるよう設定されている。これにより、バスケット胴８の下降時の衝撃を防止できる。また、バスケット胴８内に洗濯物がないとき、すなわち脱水済みの洗濯物を搬出した後でバスケット胴８が圧搾位置Ａから受入れ位置Ｂへ移動するとき、搬出コンベア１２と無関係にバスケット胴８を動かす事ができ、バスケット胴８の移動速度を速くできる。
【００４５】
バスケット胴８を下降したら、次にロックシリンダ２７を上動して、昇降フレーム１６とスライドフレーム２１との位置決めロックを外し、水平シリンダ２４をシュート２６側にストローク端まで移動して、図４（ａ）の状態まで戻る。
【００４６】
この一連の動作を連続水洗機３０の洗濯物排出動作とタイミングを合せて繰り返すことにより、連続水洗機３０から所定時間間隔毎に排出される洗濯物を受け取って圧搾脱水し、次工程へと送り出す。
【００４７】
上記の第１実施例及び以下に示す第２実施例は、洗濯物を受け取るとき、バスケット底を含むバスケット全体をシュート２６の下方へ移動させるようにした構造であり、バスケット底は、搬出コンベア１２の通水性のある搬送面２８によって形成されている。
【００４８】
第１実施例では、スライドフレーム２１をバスケット胴８の略高さ中心に設けており、バスケット胴８を水平移動するとき、その重心近くを駆動するから、移動が円滑である。図６〜図８に示す第２実施例では、バスケット胴８の上縁外周がスライドフレーム２１を固定している。第２実施例の昇降フレーム１６は、平面視で略正方形の枠状で、その四隅が４本のタイロッド３で昇降自在に案内されている。スライドフレーム２１を水平方向に案内するガイド部材１９は、昇降フレーム１６の側辺部下面に固定され、水平シリンダ２４がガイド部材１９の下面に装着されている。
【００４９】
第２実施例の受圧板１１は、基台２に設けたレール３５に沿って移動自在である。レール３５は、水平シリンダ２４と同方向に設けられている。搬出コンベア１２は、その両端のローラ１４、１５を受圧板１１に軸支し、図示しないコンベア駆動モータも受圧板１１の下面に装着されている。すなわち、搬出コンベア１２は、受圧板１１と一体となってレール３５に沿って水平移動可能である。
【００５０】
バスケット胴８の下部のタイロッド３に近接した幅方向（図の紙面直角方向）内側となる位置に、バスケット胴８の下縁３６より下方に突出する係合ピン３７が設けられている。この係合ピン３７は、バスケット胴８の下縁３６と同じ高さの先端面３８を備えたストッパ脚３９の当該先端面から突出している。受圧板１１には、この係合ピン３７と対向する位置に係合孔４０が設けられている。図には示してないが、受圧板１１には、ばね力でレール３５を把持するブレーキが設けられており、そのばねの受座となっているクランクが係合ピン３７を受け入れる係合孔４０の底部に臨んでいる。係合ピン３７が係合孔４０に挿入されると、係合ピン３７の先端がクランクを押してブレーキを開放するようになっている。
【００５１】
この第２実施例の構造では、バスケット胴８を下降させた状態でスライドフレームを移動すると、バスケット胴８と同時に受圧板１１が移動し、この受圧台に装着されてバスケット底となっている搬出コンベアの搬送面２８も同時に移動する（図８）。この状態でシュート２６から洗濯物を受け取ってバスケット胴８が押圧体５の下へと移動するとき、バスケット底となっている搬出コンベアの搬送面２８も同時に移動するから、この移動中に洗濯物には移動抵抗が作用しない。従って、洗濯物受入れ位置Ｂから圧搾位置Ａにバスケット胴８が移動するとき、この移動に伴って洗濯物に搬送面２８から移動抵抗が作用するのを防止できる。
【００５２】
圧搾位置Ａにおいては、第１実施例と同様な動作で洗濯物３１の脱水が行われる。脱水した後、押圧体５及びバスケット胴８を上動させたとき、係合ピン３７は係合孔から離れ、受圧板１１は前述したブレーキによって移動が固定される。この状態で搬出コンベア１２を駆動することにより、搬出コンベア１２上の洗濯物の塊は、これに隣接する搬送コンベア３２へと引き渡される（図６）。
【００５３】
以上の説明から理解されるように、この発明の圧搾式脱水機においては、上昇した押圧体５とバスケット胴８の上縁との間にシュート２６から洗濯物３１を受け入れるための開口を必要としない。従って、押圧体５の上昇限の高さをバスケット胴８及びこれを保持しているスライドフレーム２１と干渉しない最低の高さに設定することができ、かつこれにより押圧体５の昇降ストロークも短くなるので、押圧装置６の高さも小さくなり、装置全体の高さを大幅に低減できる。
【００５４】
また、シュート２６からの洗濯物の受け入れ時においては、バスケット胴８の上面の直径で１／２〜３／４程度の大きさが開放された状態となり、この開放された開口から洗濯物を投入できるので、洗濯物を垂直に近い角度で投入でき、更に洗濯物受入れ位置Ｂから圧搾位置Ａへバスケット胴８が移動する間に洗濯物の偏在を均す動作を行わせることもできるので、バスケット９内での洗濯物の偏在が改善され、むらのない圧搾脱水が可能になると共に、洗濯物の偏在によって洗濯物搬出時に洗濯物がバスケット胴８の下縁に引っかかるというようなトラブルの発生も防止できる。
【図面の簡単な説明】
【００５５】
【図１】第１実施例の側面図
【図２】第１実施例の正面図
【図３】スライドフレームのガイド及び位置決め構造を示す部分拡大正面図
【図４】第１実施例の動作を示す第１の図
【図５】第１実施例の動作を示す第２の図
【図６】第２実施例の洗濯物排出時の状態を示す側面図
【図７】第２実施例の洗濯物圧搾時の状態を示す側面図
【図８】第２実施例の洗濯物受入れ時の状態を示す側面図
【図９】従来装置の一例を示す側面図
【符号の説明】
【００５６】
２  基台
３  タイロッド
６  押圧装置
８  バスケット胴
９  バスケット
12  搬出コンベア
16  昇降フレーム
17  昇降駆動装置
24  水平移動駆動装置
28  搬送面
31  洗濯物
Ａ  圧搾位置
Ｂ  洗濯物受入れ位置
【図１】
0005210720.tif 000002
【図２】
0005210720.tif 000003
【図３】
0005210720.tif 000004
【図４】
0005210720.tif 000005
【図５】
0005210720.tif 000006
【図６】
0005210720.tif 000007
【図７】
0005210720.tif 000008
【図８】
0005210720.tif 000009
【図９】
0005210720.tif 000010